(57)【要約】【課題】ダンパピンの摩耗の進行を抑制することができる回転機械を提供する。【解決手段】プラットフォーム３２は、軸線方向に延びる平面状をなすとともに、隣り合うプラットフォーム３２同士で互いに周方向に対向して径方向外側に向かうに従って互いに近接するように延びるダンパ当接面３８を有し、ダンパピン５０は、軸線方向に延びる正多角柱をなすとともに、複数の側面５２のうちの２つの側面５２がなす角度が、隣り合うダンパ当接面３８がなす角度に対応するダンパピン本体５１を有する。【選択図】図３
2019173652.tif 000002
【特許請求の範囲】
【請求項１】
軸線回りに回転する回転軸と、
前記回転軸の外周側で周方向に配列された複数の動翼であって、前記回転軸に取り付けられる翼根、該翼根の径方向外側に設けられたプラットフォーム、及び該プラットフォームから径方向外側に延びる翼本体を有する動翼と、
互いに隣り合う前記動翼の間における前記プラットフォームの径方向内側にそれぞれ設けられたダンパピンと、
を備え、
前記プラットフォームは、
前記軸線方向に延びる平面状をなすとともに、隣り合う前記プラットフォーム同士で互いに周方向に対向して径方向外側に向かうに従って互いに近接するように延びるダンパ当接面を有し、
前記ダンパピンは、
前記軸線方向に延びる正多角柱をなすとともに、複数の側面のうちの２つの側面がなす角度が、隣り合う前記動翼同士の前記ダンパ当接面がなす角度に対応するダンパピン本体を有する回転機械。
【請求項２】
前記ダンパピンは、
前記軸線に直交する断面視で、少なくとも一つの前記側面における該側面の両端の頂点にわたって設けられて、前記ダンパピン本体の各前記頂点を通過する円よりも曲率半径の大きい円弧状をなす外周曲面を形成する曲面形成部をさらに有する請求項１に記載の回転機械。
【請求項３】
軸線回りに回転する回転軸と、
前記回転軸の外周側で周方向に配列された複数の動翼であって、前記回転軸に取り付けられる翼根、該翼根の径方向外側に設けられたプラットフォーム、及び該プラットフォームから径方向外側に延びる翼本体を有する動翼と、
互いに隣り合う前記動翼の間における前記プラットフォームの径方向内側にそれぞれ設けられたダンパピンと、
を備え、
前記プラットフォームは、
前記軸線方向に延びる平面状をなすとともに、隣り合う前記プラットフォーム同士で互いに周方向に対向して径方向外側に向かうに従って互いに近接するように延びるダンパ当接面を有し、
前記ダンパピンは、
前記軸線方向に一様に延びているとともに、前記軸線に直交する断面形状の輪郭が非回転対称形状をなしている回転機械。
【請求項４】
前記ダンパピンは、前記軸線に直交する断面形状の輪郭が、外方に凸となるとともに互いに曲率半径の異なる複数の円弧と、これら円弧を結ぶ複数の線分とから形成されている回転機械。
【発明の詳細な説明】
【技術分野】
【０００１】
本発明は、回転機械に関する。
【背景技術】
【０００２】
ガスタービンやジェットエンジン等の回転機械では、隣り合うタービン動翼の間のそれぞれにダンパを設けた構成が知られている。ダンパは、回転機械の回転時にタービン動翼に接触する。そして、タービン動翼に励振力が作用して振動が生じた際には、該ダンパとタービン動翼との接触箇所での摩擦力によって当該振動を減衰させる。
例えば特許文献１には、隣り合うタービン動翼のプラットフォームの双方に接触するダンパピンを備えた回転機械が開示されている。
【先行技術文献】
【特許文献】
【０００３】
【特許文献１】特開２０１６−２１７３４９号公報
【発明の概要】
【発明が解決しようとする課題】
【０００４】
ところで、上記ダンパピンには、プラットフォームとの間の摩擦力によって摩耗が生じる。特に、ダンパピンの断面形状が円形の場合には、ダンパピンとプラットフォームとは線接触することになるため、ダンパピンが受ける面圧が大きくなる。そのため、ダンパピン表面の摩耗がより進行し易い。ダンパピンの摩耗が進行すれば、該ダンパピンの減衰特性が変化してしまい、励振力に対して適切なダンパ効果を付与できない場合がある。
【０００５】
本発明はこのような事情に鑑みてなされたものであって、ダンパピンの摩耗の進行を抑制することができる回転機械を提供することを目的とする。
【課題を解決するための手段】
【０００６】
本発明は、上記課題を解決するため、以下の手段を採用している。
即ち、本発明の第一態様に係る軸線回りに回転する回転軸と、前記回転軸の外周側で周方向に配列された複数の動翼であって、前記回転軸に取り付けられる翼根、該翼根の径方向外側に設けられたプラットフォーム、及び該プラットフォームから径方向外側に延びる翼本体を有する動翼と、互いに隣り合う前記動翼の間における前記プラットフォームの径方向内側にそれぞれ設けられたダンパピンと、を備え、前記プラットフォームは、前記軸線方向に延びる平面状をなすとともに、隣り合う前記プラットフォーム同士で互いに周方向に対向して径方向外側に向かうに従って互いに近接するように延びるダンパ当接面を有し、前記ダンパピンは、前記軸線方向に延びる正多角柱をなすとともに、複数の側面のうちの２つの側面がなす角度が、隣り合う前記動翼同士の前記ダンパ当接面がなす角度に対応するダンパピン本体を有する。
【０００７】
上記態様の回転機械によれば、ダンパピンが一対のダンパ当接面に接触する際には、祖ダンパピンの２つの側面が一対のダンパ当接面に対応するように接触する。即ち、ダンパピンの２つの側面の双方が一対のダンパ当接面に対して接触面積を大きく確保した状態で接触する。そのため、ダンパピンがダンパ当接面に対して線接触する場合に比べて、ダンパピンの外周面に作用する面圧を低下させることができる。
また、回転機械の回転が停止して遠心力が消失した際にはダンパピンがダンパ当接面から離れる。そして、再度遠心力が作用した際には、正多角柱状をなすダンパピンのいずれかの２つの側面が、一対のダンパ当接面に対応するように接触する。即ち、回転機械の起動・停止の度に、摩擦力が作用するダンパピンの側面が変化するため、ダンパピンの特定の側面のみならず、各側面を用いて減衰を与えることができる。このため、特定の側面のみが摩耗してしまうことを回避することができる。
【０００８】
上記回転機械では、前記ダンパピンは、前記軸線に直交する断面視で、少なくとも一つの前記側面における該側面両端の頂点にわたって設けられて、前記ダンパピン本体の各前記頂点を通過する円よりも曲率半径の大きい円弧状をなす外周曲面を形成する曲面形成部をさらに有していてもよい。
【０００９】
これにより、ダンパピンの断面形状が円形である場合に比べて、該ダンパピンがダンパ当接面に接触する際の接触面積を増大させることができる。したがって、ダンパピンに作用する面圧を低下させることができ、摩耗の進行を抑制することができる。
【００１０】
本発明の一の態様に係る回転機械は、軸線回りに回転する回転軸と、前記回転軸の外周側で周方向に配列された複数の動翼であって、前記回転軸に取り付けられる翼根、該翼根の径方向外側に設けられたプラットフォーム、及び該プラットフォームから径方向外側に延びる翼本体を有する動翼と、互いに隣り合う前記動翼の間における前記プラットフォームの径方向内側にそれぞれ設けられたダンパピンと、を備え、前記プラットフォームは、前記軸線方向に延びる平面状をなすとともに、隣り合う前記プラットフォーム同士で互いに周方向に対向して径方向外側に向かうに従って互いに近接するように延びるダンパ当接面を有し、前記ダンパピンは、前記軸線方向に一様に延びているとともに、前記軸線に直交する断面形状の輪郭が非回転対称形状をなしている。
【００１１】
回転機械の回転が停止して遠心力が消失した際にはダンパピンがダンパ当接面から離れ、その後、回転機械が回転してダンパピンに遠心力が作用した際には、ダンパピンがダンパ当接面に再接触する。ここで本態様ではダンパピンの断面形状の輪郭が非回転対称形状をなしているため、ダンパピンがダンパ当接面に再接触する際の外周面の位置がランダムに決定される。これにより、ダンパピンの外周面の特定箇所のみがダンパ当接面に接触することによる当該特定箇所のみでの摩耗の進行を抑制することができる。
【００１２】
さらに、異なる箇所に配置された各ダンパピンがダンパ当接面に対してランダムに接触することで、ダンパピン同士での減衰態様が互いに異なるものとなる。これによって、回転機械全体として幅広い範囲の励振力に対して減衰を付与することができる。
さらに、ダンパ当接面における接触箇所も変化するため、プラットフォーム側の摩耗を抑制することもできる。
【００１３】
上記態様の回転機械では、前記ダンパピンは、前記軸線に直交する断面形状の輪郭が、外方に凸となるとともに互いに曲率半径の異なる複数の円弧と、これら円弧を結ぶ複数の線分とから形成されていてもよい。
【００１４】
これにより、ダンパピンの外周面の輪郭が非回転対称形状となり、ダンパピンの接触箇所をランダムに変化させることができる。輪郭が線分となる領域は平面状となるため、面圧を低減させることもできる。
【発明の効果】
【００１５】
本発明の回転機械によれば、ダンパピンの摩耗の進行を抑制することができる。
【図面の簡単な説明】
【００１６】
【図１】第一実施形態に係るガスタービンの模式的な縦断面図である。
【図２】第一実施形態に係るガスタービンの動翼群を軸線方向から見た模式的な図である。
【図３】図２の要部拡大図であって、第一実施形態に係るガスタービンの互いに隣り合うプラットフォームを軸線方向から見た図である。
【図４】第一実施形態の変形例に係るダンパピンを軸線方向から見た図である。
【図５】第二実施形態に係るガスタービンのダンパピンを軸線方向から見た図である。
【図６】第三実施形態に係るガスタービンのダンパピンを軸線方向から見た図である。
【発明を実施するための形態】
【００１７】
＜第一実施形態＞
以下、本発明の第一実施形態に係るガスタービン１について、図１〜図３を参照して説明する。
【００１８】
図１に示すように、本実施形態に係るガスタービン１は、圧縮空気を生成する圧縮機２と、圧縮空気に燃料を混合して燃焼させることで燃焼ガスを生成する燃焼器９と、燃焼ガスによって駆動されるタービン１０と、を備えている。
【００１９】
圧縮機２は、軸線Ｏ回りに回転する圧縮機ロータ３と、圧縮機ロータ３を外周側から覆う圧縮機ケーシング４と、を有している。圧縮機ロータ３は、軸線Ｏに沿って延びる柱状をなしている。圧縮機ロータ３の外周面上には、軸線Ｏ方向に間隔をあけて配列された複数の圧縮機動翼段５が設けられている。各圧縮機動翼段５は、圧縮機ロータ３の外周面上で軸線Ｏの周方向に間隔をあけて配列された複数の圧縮機動翼６を有している。
【００２０】
圧縮機ケーシング４は、軸線Ｏを中心とする筒状をなしている。圧縮機ケーシング４の内周面には、軸線Ｏ方向に間隔をあけて配列された複数の圧縮機静翼段７が設けられている。これらの圧縮機静翼段７は、上記の圧縮機動翼段５に対して、軸線Ｏ方向から見て交互に配列されている。各圧縮機静翼段７は、圧縮機ケーシング４の内周面上で、軸線Ｏの周方向に間隔をあけて配列された複数の圧縮機静翼８を有している。
【００２１】
燃焼器９は、上記の圧縮機ケーシング４と、後述するタービンケーシング１２との間に設けられている。圧縮機２で生成された圧縮空気は、燃焼器９内部で燃料と混合されて予混合ガスとなる。燃焼器９内で、この予混合ガスが燃焼することで高温高圧の燃焼ガスが生成される。燃焼ガスは、タービンケーシング１２内に導かれてタービン１０を駆動する。
【００２２】
タービン１０は、軸線Ｏ回りに回転するタービンロータ１１と、タービンロータ１１を外周側から覆うタービンケーシング１２と、を有している。タービンロータ１１は、軸線Ｏに沿って延びる柱状をなしている。タービンロータ１１の外周面上には、軸線Ｏ方向に間隔をあけて配列された複数のタービン動翼段２０が設けられている。各タービン動翼段２０は、タービンロータ１１の外周面上で、軸線Ｏの周方向に間隔をあけて配列された複数のタービン動翼３０を有している。このタービンロータ１１は、上記の圧縮機ロータ３に対して軸線Ｏ方向に一体に連結されることで、ガスタービンロータを形成する。
【００２３】
タービンケーシング１２は、軸線Ｏを中心とする筒状をなしている。タービンケーシング１２の内周面には、軸線Ｏ方向に間隔をあけて配列された複数のタービン静翼段１３が設けられている。これらのタービン静翼段１３は、上記のタービン動翼段２０に対して、軸線Ｏ方向から見て交互に配列されている。各タービン静翼段１３は、タービンケーシング１２の内周面上で、軸線Ｏの周方向に間隔をあけて配列された複数のタービン静翼１４を有している。タービンケーシング１２は、上記の圧縮機ケーシング４に対して軸線Ｏ方向に連結されることで、ガスタービンケーシングを形成する。即ち、上記のガスタービンロータは、このガスタービンケーシング内で、軸線Ｏ回りに一体に回転可能とされている。
【００２４】
＜タービン動翼＞
次にタービン動翼３０について図２を参照してより詳細に説明する。
タービン動翼３０は、翼根３１、プラットフォーム３２及び翼本体４１を有している。
翼根３１は、タービン動翼３０におけるタービンロータ１１に取り付けられる部分である。タービンロータ１１は、軸線Ｏを中心する円盤状をなすディスク１１ａを軸線Ｏ方向に複数積層させることで構成されている。翼根３１は、当該ディスク１１ａの外周面に形成されたディスク１１ａの凹溝（図示省略）に軸線Ｏ方向からはめ込まれることで、ディスク１１ａに一体に取り付けられている。これによって、ディスク１１ａに対して周方向に間隔をあけるようにタービン動翼３０が放射状に配置されている。
【００２５】
プラットフォーム３２は、翼根３１の径方向外側に一体に設けられている。プラットフォーム３２は、翼根３１の径方向外側の端部から軸線Ｏ方向及び周方向に張り出ている。プラットフォーム３２における径方向外側を向く外周面３３は、タービン１０を通過する燃焼ガスに晒されている。
【００２６】
プラットフォーム３２における周方向を向くプラットフォーム側面３４は、径方向かつ軸線Ｏ方向に延びている。プラットフォーム側面３４は、互いに隣り合うタービン動翼３０のプラットフォーム３２同士で互いに周方向に対向している。
【００２７】
プラットフォーム側面３４には、該プラットフォーム側面３４から凹むとともに軸線Ｏ方向に延びる凹部３７が形成されている。隣り合うプラットフォーム３２の凹部３７同士によって、これら凹部３７の形状に従ってプラットフォーム３２を軸線Ｏ方向に貫通するように延びるダンパ収容空間Ｒ１が区画形成されている。ダンパ収容空間Ｒ１は、隣り合う全てのプラットフォーム３２同士の間に形成されている。そのためダンパ収容空間Ｒ１はタービン動翼３０と同数が形成されている。
【００２８】
各プラットフォーム側面３４は、当該凹部３７によって径方向に分割されている。プラットフォーム側面３４のうち、当該凹部３７の径方向外側の部分が外周側側面３５とされており、凹部３７の径方向内側の部分が内周側側面３６とされている。
【００２９】
図２及び図３に示すように、プラットフォーム３２の凹部３７における径方向内側を向く面は、ダンパ当接面３８とされている。ダンパ当接面３８は、軸線Ｏに平行な平面状をなしている。ダンパ当接面３８は、各タービン動翼３０の径方向外側に向かうに従って、周方向外側に向かって傾斜して延びてプラットフォーム３２の外周側側面３５に接続されている。
【００３０】
互いに隣り合うプラットフォーム３２のダンパ当接面３８は、互い周方向に対向している。これらダンパ当接面３８は、径方向外側に向かうに従って対向距離が短くなるように傾斜している。一対のダンパ当接面３８は、軸線Ｏ方向視で径方向に沿う直線を対象軸とした線対称に配置されている。
【００３１】
図３に示すように、ダンパ当接面３８における外周側側面３５とは反対側の端部は、軸線Ｏに平行かつ径方向に延びる凹部底面３９の径方向外側の端部に接続されている。凹部底面３９における径方向内側の端部と内周側側面３６の径方向外側の端部との間には、軸線Ｏに平行かつ周方向に延びる凹部下面４０が形成されている。ダンパ収容空間Ｒ１は、互いに隣り合うプラットフォーム３２同士のダンパ当接面３８、凹部底面３９及び凹部下面４０によって区画形成されている。
【００３２】
翼本体４１は、プラットフォーム３２の外周面３３から径方向外側に向かって延びている。即ち、翼本体４１の基端がプラットフォーム３２の径方向外側の端部に対して一体に接続されている。翼本体４１は、該翼本体４１の延在方向に直交する断面形状が翼型をなしている。
【００３３】
＜ダンパピン＞
図２及び図３に示すように、各ダンパ収容空間Ｒ１にはダンパピン５０が収容されている。即ち、ダンパピン５０は、ダンパ収容空間Ｒ１に対応して該ダンパ収容空間Ｒ１と同数が設けられている。ダンパピン５０は、軸線Ｏ方向に延びるピン状をなすダンパピン本体５１を有している。ダンパピン５０は軸線Ｏに直交する断面形状が軸線Ｏ方向にわたって一様とされている。
【００３４】
ダンパピン本体５１は、軸線Ｏに直交する断面形状が正多角形状をなしている。即ち、ダンパピン本体５１は、正多角柱状をなしている。本実施形態では、ダンパピン本体５１は、軸線Ｏに直交する断面形状が正六角形状をなしている。そのため、ダンパピン本体５１は、互いに同一の矩形状をなす６つの側面５２を有している。互いに隣り合う一対の側面５２同士のなす角は、１２０°とされている。ダンパピン本体５１における互いに反対側を向く側面５２同士の間隔は、一対のプラットフォーム側面５２同士の間隔、即ち、一対の外周側側面３５同士の間隔よりも大きく設定されている。即ち、ダンパピン本体５１の外径のうち最も小さい外径の寸法（ダンパピン本体５１の軸線Ｏに直交する断面の輪郭の内接円の直径）は、一対の外周側側面３５同士の間隔よりも大きく設定されている。
【００３５】
ダンパピン本体５１の形状に対応して、当該ダンパピン本体５１が収容されるダンパ収容空間Ｒ１を区画形成する一対のダンパ当接面３８同士のなす角度は、ダンパピン本体５１における互いに隣り合う側面５２同士がなす角度と同一に設定されている。これにより本実施形態では、一対のダンパ当接面３８のなす角は１２０°とされている。この場合、ダンパ当接面３８の傾斜角度は、３０°とされている。
即ち、ダンパピン本体５１の複数の側面５２のうちの互いに隣り合う２つの側面５２がなす角度は、一対のダンパ当接面３８がなす角度に対応している。
【００３６】
＜作用効果＞
タービン１０の回転時には、ダンパピン５０に遠心力が発生し、該ダンパピン５０の側面５２は一対のプラットフォーム３２のダンパ当接面３８にそれぞれ接触する。本実施形態では、ダンパピン５０の互いに隣り合う側面５２のなす角度が一対のダンパ当接面３８のなす角度に対応している。そのため、ダンパピン５０における隣り合う一対の側面５２は、一対のダンパ当接面３８に対して、一対一の関係で対応するように接触する。即ち、ダンパピン５０の２つの側面５２の双方が一対のダンパ当接面３８に対して接触面積を大きく確保した状態で接触する。
【００３７】
ここで例えばダンパピン５０の断面形状の輪郭が円形の場合、当該ダンパピン５０はダンパ当接面３８に対して線接触する。そのため、ダンパピン５０には面圧が大きく作用する結果、ダンパピン５０の摩耗が早期に進んでしまう。
また、ダンパピン５０の断面形状の輪郭が多角形状であったとしても、これに対応するようにダンパ当接面３８の角度が設定されていなければ、ダンパピン５０の断面形状の角部がダンパ当接接触し、ダンパピン５０及びダンパ当接面３８双方の摩耗を促進させてしまう。
【００３８】
本実施形態では、ダンパピン本体５１の２つの側面５２がダンパ当接面３８に対して、好ましくは面接触することになるため、ダンパピン本体５１の外周面に作用する面圧を低下させることができる。これにより、ダンパピン本体５１の外周面の摩耗が早期に進行してしまうことを抑制できる。
【００３９】
また、タービン１０の回転が停止して遠心力が消失した際にはダンパピン５０がダンパ当接面３８から離れる。そして、再度、タービン１０が回転して遠心力が作用した際には、正多角柱状をなすダンパピン本体５１における隣り合う２つの側面５２が、一対のダンパ当接面３８に対応するように接触する。即ち、タービン１０の起動・停止の度に、摩擦力が作用するダンパピン５０の側面５２が変化するため、ダンパピン５０の特定の側面５２のみならず、各側面５２を用いて減衰を与えることができる。このため、特定の側面５２のみが摩耗してしまうことを回避することができる。即ち、ダンパピン５０全体としての摩耗の進行を抑制することができる。
【００４０】
ここで、第一実施形態の変形例として、例えば図４に示すように、ダンパピン本体５１の軸線Ｏに直交する断面形状が正十二角形状をなしていてもよい。この場合、ダンパピン本体５１の１２つの側面５２のうち、ある側面５２の両側の一対の側面５２がダンパ当接面３８に接触する。即ち、間に一つの側面５２を介在させた２つの側面５２がダンパ当接面３８に接触する。これによっても、上記実施形態同様、ダンパピン５０の摩耗の進行を抑制することができる。
【００４１】
なお、ダンパピン５０は、正多角柱状をなしていれば上記構成に限定されない。
例えば、ダンパピン５０の軸線Ｏに直交する断面形状の輪郭が、正九角形状、正十八角形状をなしていてもよい。この場合、一対のダンパ当接面３８の傾斜角度は２０°又は４０°となる。例えば、ダンパピン５０の軸線Ｏに直交する断面形状の輪郭が、正方形状、正八角形状、正十六角形状をなしていてもよい。この場合、一対のダンパ当接面３８のなす角度は４５°となる。また、ダンパピン５０の軸線Ｏに直交する断面形状の輪郭が、正二十四角形状をなしていておよい。この場合、一対のダンパ当接面３８のなす角度は３０となる。
【００４２】
即ち、ダンパピン５０が正多角柱状をなしており、一対のダンパ当接面３８のなす角度がダンパピン５０の複数のうちいずれか二つ側面５２のなす角度に対応していればよい。これにより、ダンパピン５０のいずれか二つの側面５２が同時にダンパ当接面３８に面接触するため、ダンパピン５０の摩耗を抑制することができる。
【００４３】
＜第二実施形態＞
次に図５を参照して本発明の第二実施形態について説明する。第二実施形態では第一実施形態と同様の構成要素には同一の符号を付して詳細な説明を省略する。
第二実施形態のダンパピン６０は、第一実施形態と同様のダンパピン本体５１に加えて曲面形成部６１を有している。
【００４４】
曲面形成部６１は、ダンパピン本体５１の各側面５２上に一体に形成されている。曲面形成部６１は、各側面５２の全域にわたって形成されている。曲面形成部６１は、軸線Ｏに直交する断面視で、側面５２の両端の頂点にわたる円弧状の輪郭を有している。曲面形成部６１の円弧６２は、ダンパピン６０の外周側に凸となる円弧６２である。曲面形成部６１の円弧６２は、ダンパピン本体５１の軸線Ｏに直交する断面視で各頂点を通る基準円（ダンパピン本体５１の外接円）の曲率半径よりも大きい曲率半径を有している。これにより、ダンパピン６０の軸線Ｏに直交する断面形状の輪郭は、複数（本実施形態では６つ）の円弧６２を組み合わせた形状をなしている。各隣り合う円弧６２は、ダンパピン本体５１の頂点で接続している。
【００４５】
これによって、ダンパピン６０の側面５２上には、上記円弧６２と同一の曲率半径を有する外周曲面６３が形成されている。ダンパピン６０の外周面は、複数の外周曲面６３を組み合わせた構成をなしている。隣り合う外周曲面６３同士の間には、軸線Ｏ方向に延びる稜線が形成されている。即ち、隣り合う外周曲面６３は稜線を介して軸線Ｏ方向にわたって接続されている。
【００４６】
＜作用効果＞
上記構成によれば、第一実施形態の作用効果に加えて、ダンパピン６０の断面形状が円形である場合に比べて、該ダンパピン６０がダンパ当接面に接触する際の接触面積を増大させることができる。したがって、ダンパピン６０に作用する面圧を低下させることができ、摩耗の進行を抑制することができる。
【００４７】
なお、上記構成では、ダンパピン本体５１のすべての側面５２上に曲面形成部６１を形成した例について説明したが、複数の側面５２のうちの少なくとも一の側面５２上に曲面形成部６１が形成されていればよい。
【００４８】
＜第三実施形態＞
次に図６を参照して本発明の第三実施形態について説明する。第三実施形態では第一実施形態と同様の構成要素には同一の符号を付して詳細な説明を省略する。
本実施形態のダンパピン７０は、軸線Ｏ方向に一様な形状で延びている。ダンパピン７０の軸線Ｏに直交する断面形状の輪郭は、非回転対称形状をなしている。
【００４９】
本実施形態では、ダンパピン７０の軸線Ｏに直交する輪郭形状は、非回転対称形状の一例として、外方に凸となるとともに互いに曲率半径の異なる複数の円弧７１と、これら円弧７１を結ぶ複数の線分７２とから形成されている。
これによって、ダンパピン７０の上記輪郭形状は、当該輪郭形状の一部を任意の回転軸線回りに回転させても、これと重なるような同一形状が出現しない非回転対称形状とされている。
【００５０】
＜作用効果＞
本実施形態ではダンパピン７０の断面形状の輪郭が非回転対称形状をなしているため、タービン１０の起動・停止の繰り返し時にダンパピン７０がダンパ当接面３８に再接触する際の外周面の位置がランダムに決定される。これにより、ダンパピン７０の外周面の特定箇所のみがダンパ当接面３８に接触することによる当該特定箇所のみでの摩耗の進行を抑制することができる。さらに、ダンパ当接面３８におけるダンパピン７０の接触箇所も変化するため、プラットフォーム側の摩耗を抑制することもできる。
【００５１】
さらに、異なる箇所に配置された各ダンパピン７０がダンパ当接面３８に対してランダムに接触することで、ダンパピン７０同士での減衰態様が互いに異なるものとなる。これによって、タービン１０全体として幅広い範囲の励振力に対して減衰効果を付与することができる。
【００５２】
特に、ダンパピン７０の軸線Ｏに直交する断面形状の輪郭を互いに異なる円弧７１及び線分７２から形成することで、ダンパピン７０の外周面の輪郭を容易に非回転対称形状とすることができる。これによりダンパピン７０の接触箇所を、よりランダムに変化させることができる。また、輪郭の線分７２の領域は、平面状となるため、ダンパ当接面に面接触することで面圧を低減させることができる。
【００５３】
なお、ダンパピン７０のダンパ当接面３８への接触箇所がよりランダムとなるように、例えばダンパピン７０に孔や空洞部を形成して、ダンパピン７０の重量調整を行ってもよい。
また、ダンパピン７０は、図６に示される断面形状に限られず、非回転対称となる断面形状ならば他の断面形状であってもよい。
【００５４】
＜その他の実施形態＞
以上、本発明の実施の形態について説明したが、本発明はこれに限定されることなく、その発明の技術的思想を逸脱しない範囲で適宜変更可能である。
なお、第一、第二及び第三実施形態では、一対のダンパ当接面３８を、軸線Ｏ方向視で径方向に沿う直線を対象軸とした線対称に配置した例について説明した。しかしながらこれに限定されることはなく、例えば一対のダンパ当接面３８の一方が実施形態同様に傾斜しているとともに、他方のダンパ当接面３８が径方向に沿って延びていてもよい。また、一対のダンパ当接面３８が、互いに異なる角度で傾斜していてもよい。そして、これら一対のダンパ当接面３８のなす角度が、ダンパピン本体５１の複数の側面５２のうちのいずれかの２つの側面５２がなす角度に対応していればよい。
【符号の説明】
【００５５】
１  ガスタービン
２  圧縮機
３  圧縮機ロータ
４  圧縮機ケーシング
５  圧縮機動翼段
６  圧縮機動翼
７  圧縮機静翼段
８  圧縮機静翼
９  燃焼器
１０       タービン
１１       タービンロータ
１１ａ     ディスク
１２       タービンケーシング
１３       タービン静翼段
１４       タービン静翼
２０       タービン動翼段
３０       タービン動翼
３１       翼根
３２       プラットフォーム
３３       外周面
３４       プラットフォーム側面
３５       外周側側面
３６       内周側側面
３７       凹部
３８       ダンパ当接面
３９       凹部底面
４０       凹部下面
４１       翼本体
５０       ダンパピン
５１       ダンパピン本体
５２       側面
６０       ダンパピン
６１       曲面形成部
６２       円弧
６３       外周曲面
７０       ダンパピン
７１       円弧
７２       線分
Ｒ１       ダンパ収容空間
Ｏ  軸線
【図１】
2019173652.tif 000003
【図２】
2019173652.tif 000004
【図３】
2019173652.tif 000005
【図４】
2019173652.tif 000006
【図５】
2019173652.tif 000007
【図６】
2019173652.tif 000008